(57)【特許請求の範囲】
【請求項１】
引出し内に取り付けられて使用される収納トレーであって、
前記収納トレーは、周壁部を含み、物品を収納するための収納部本体と、前記収納部本体を複数の収納部に分割するための仕切り部と、を備え、
前記仕切り部は、奧行き方向を仕切るための第１仕切り壁と、間口方向を仕切るための第２仕切り壁と、によりＴ字状に形成されており、
前記第１仕切り壁の高さ寸法が、前記周壁部および前記第２仕切り壁の高さ寸法よりも低く設定されており、
前記第１仕切り壁の高さは、前記収納部本体の底の上面における奥行き方向の後端部と、前記周壁部の上端に形成されたフランジ部の奥行き方向の前端部とを結んだ仮想の直線よりも低く、
前記第２の仕切り壁は、前記第１の仕切り壁との交差部において、該第１の仕切り壁と高さが同じとなるように下り勾配の傾斜部をさらに備えていることを特徴とする収納トレー。
【請求項２】
前記第１仕切り壁は、前記交差部を頂点として外側に向かって下り勾配の傾斜状に形成されていることを特徴とする請求項１に記載の収納トレー。
【請求項３】
内部に収納トレーが取り付けられた引出しキャビネットであって、前記収納トレーとして請求項１から２のいずれかに記載のものが用いられていることを特徴とする引出しキャビネット。
【発明の詳細な説明】
【技術分野】
【０００１】
本発明は、引出し内に取り付けられる収納トレーおよび該収納トレーが用いられているキッチン等の引出しキャビネットに関するものである。
【背景技術】
【０００２】
従来、キッチン等に用いられる引出しキャビネットの引出し内に取り付けて使用する収納トレーが知られている。そのような収納トレーの一例を、図５（ａ）に示す。図５（ａ）に示す収納トレー５１は、周壁部５２と同じ高さで、間口方向に延びる第１仕切り壁５３と、奥行き方向に延びる第２仕切り壁５４によって、収納部が、横収納部５６、第１の縦収納部５７および第２の縦収納部５８に仕切られている。
【０００３】
図６に、従来の収納トレー５１について、収納部の深さの異なる２つの構成例を示す。図６（ａ）は、収納トレー５１の周壁部５２と引出し８の側壁部７の高さを同じにして、収納部の深さを深くした場合の構成を示す。図６（ｂ）は、収納トレー５１の周壁部５２の高さを引出し８の側壁部７の高さより低くして、収納部の深さの浅い薄型の収納トレーとした場合の構成を示す。
【０００４】
また、収納トレーの別の例を、図５（ｂ）に示す。図５（ｂ）に示す収納トレー６１は、奥行き方向に延びる第１仕切り壁６２によって、第１の収納部６３と別の収納部６４に仕切られているとともに、別の収納部６４は間口方向に延びる第２仕切り壁６６で第２の収納部６７と小さな第３の収納部６８に仕切られている。
【０００５】
なお、引出し内に、引出し箱上面開口の奥行き寸法と同じ長辺寸法とする物入れトレーと、引出し箱上面開口の奥行き寸法より小さい奥行き寸法を有する複数の物入れトレーを適宜組合せて配置する構成が知られている（特許文献１参照）。
【０００６】
また、引出し箱の上面開口に、複数の第１トレーと、これらを配置した時に残る隙間を埋めるための第２トレーを適宜組合せて着脱自在に配置してなる引出し装置が知られている（特許文献２参照）。
【先行技術文献】
【特許文献】
【０００７】
【特許文献１】特開平６−１０５７２６号公報
【特許文献２】特開２００３−２８９９６６号公報
【発明の概要】
【発明が解決しようとする課題】
【０００８】
図５（ａ）に示す収納トレー５１では、横収納部５６内に、小さなスプーンなどの小物収納物が収納され、第１の縦収納部５７および第２の縦収納部５８内に、それぞれ箸、スプーン、お玉、しゃもじ等の収納物が収納される。
【０００９】
しかし、菜箸などの長い収納物は、第１の縦収納部５７および第２の縦収納部５８内に収納できず、その一端側を第１仕切り壁５３の上に載せざるを得ない。その場合、図６（ａ）に示すように、収納トレー５１の周壁部５２と引出し８の側壁部７の高さを同じにして、収納部の深さを深くすると、第１仕切り壁５３の上に載せた菜箸３４の一端側は、収納トレー５１から上方にはみ出してしまい、引出し８の開け閉めに支障が生じる虞があるだけでなく、見栄えも悪い。また、菜箸３４に対して、間口方向に何らかの原因で外力が作用すると、菜箸３４が、周壁部５２から外側に落ちてしまうなどの虞も生じる。
【００１０】
一方、図６（ｂ）に示すように、収納トレー５１の周壁部５２の高さを引出し８の側壁部７の高さより低くして、収納部の深さの浅い薄型の収納トレーにすると、菜箸３４の一端側は、第１仕切り壁５３の上に載せても収納トレー５１から上方にはみ出すようなことはないが、収納トレー５１の収納力は低減する。そのため、収納力を重視するのであれば、収納トレー５１の周壁部５２と引出し８の側壁部７の高さを同じとすることが好ましいが、上記のような問題がある。
【００１１】
図５（ｂ）に示す収納トレー６１では、第１の収納部６３内に菜箸などの長い収納物を、上方にはみ出ることなく収納することができる。しかし、菜箸などの長い収納物と、それより短い収納物を混ぜて収納する場合は、第１の収納部６３の縦方向の長さと混ぜて収納した短い収納物との長さに差があるために、無駄なスペースが生じるという問題がある。
【００１２】
また、使用頻度の高い菜箸などの長い収納物を、他の収納物と同じ第１の収納部６３内に混ぜて収納すると、それらの他の収納物と混じってしまい、菜箸などの長い収納物を選んで取り出す時に、スムーズに取り出すことができない。さらに、収納トレー６１では、小さなスプーンなどの小物収納物を収納するスペースに見合った収納部がないので、整理して収納しづらくなる。
【００１３】
特許文献１、２に開示されている従来技術は、トレーの様々な配置パターンによって使用者のニーズに対応できるものの、予め決められた寸法で個々のトレーが形成されているため、菜箸などの長い収納物を収納するための収納部を予め設けておくと、それ以外の物品を収納した時に無駄な空間ができてしまうという問題がある。また、他の物品と菜箸とを同じ収納部に収納すると、他の物品と混ざり、菜箸を選んで取り出す時に、スムーズに取り出すことができないという問題もある。
【００１４】
本発明は、上記従来の問題を解決することを目的とし、無駄な収納空間を少なくし、菜箸などの長い収納物をスムーズに取り出すことが可能な収納トレーおよびこれを備えた引出しキャビネットを実現することを課題とする。
【課題を解決するための手段】
【００１５】
本発明は上記課題を解決するために、引出し内に取り付けられて使用される収納トレーであって、前記収納トレーは、周壁部を含み、物品を収納するための収納部本体と、前記収納部本体を複数の収納部に分割するための仕切り部と、を備え、前記仕切り部は、奧行き方向を仕切るための第１仕切り壁と、間口方向を仕切るための第２仕切り壁と、によりＴ字状に形成されており、 前記第１仕切り壁の高さ寸法が、前記周壁部および前記第２仕切り壁の高さ寸法よりも低く設定されており、前記第１仕切り壁の高さは、前記収納部本体の底の上面における奥行き方向の後端部と、前記周壁部の上端に形成されたフランジ部の奥行き方向の前端部とを結んだ仮想の直線よりも低く、前記第２の仕切り壁は、前記第１の仕切り壁との交差部において、該第１の仕切り壁と高さが同じとなるように下り勾配の傾斜部をさらに備えていることを特徴とする収納トレーを提供する。
【００１７】
前記第１仕切り壁は、前記交差部を頂点として外側に向かって下り勾配の傾斜状に形成されていることが好ましい。
【００１８】
内部に収納トレーが取り付けられた引出しキャビネットであって、収納トレーとして上記の構成を選択的または全て備えたものが用いられていることが好ましい。  
【発明の効果】
【００１９】
本発明によれば、収納トレー内に無駄な収納空間を少なくし、菜箸などの長い収納物をスムーズに取り出すことが可能とするとともに、収納トレー内に、箸、菜箸、大小のスプーン、お玉、しゃもじなど、大きさにばらつきのある各種の収納物を、整理し、しかも菜箸などの長い収納物は、上方にはみ出ることなく、整然と収納することが可能となる。
【図面の簡単な説明】
【００２０】
【図１】本発明の実施例１を説明する図であり、（ａ）は収納トレーの平面図であり、（ｂ）は（ａ）のＢ−Ｂ断面図であり、（ｃ）は（ｂ）の要部Ｃの拡大図である。
【図２】（ａ）は上記実施例１の収納トレーの斜視図であり、（ｂ）は収納トレーに菜箸をおいた状態を示す図である。
【図３】本発明の実施例１を説明する図であり、（ａ）、（ｂ）は、互いにシンクの勝手が左右逆仕様のキッチンにおける引出しキャビネットと、引出しキャビネットに収納トレーを取り付けて使用する状態を示す図である。
【図４】本発明の実施例２を説明する図であり、（ａ）は収納トレーの斜視図であり、（ｂ）は（ａ）のＢ−Ｂ断面図である。
【図５】（ａ）は従来の収納トレーの一例を示す図であり、（ｂ）は従来の収納トレーの別の例を示す図である。
【図６】図５（ａ）に示す従来の収納トレーの課題を説明するための、図５（ａ）の収納トレーの長手方向に沿った垂直断面図を示し、（ａ）は収納トレーの収納部の深さを深くした構成を示し、（ｂ）は収納トレーの収納部の深さを浅くした構成を示す図である。
【発明を実施するための形態】
【００２１】
本発明に係る収納トレーおよび該収納トレーが用いられている引出しキャビネットを実施するための形態を実施例に基づき図面を参照して、以下説明する。
【実施例】
【００２２】
（実施例１） 
本発明に係る収納トレーおよび該収納トレーが用いられている引出しキャビネットの実施例１を図１〜３において、以下、説明する。実施例１の収納トレー１は、図３に示すようなキッチン２の引出しキャビネット３に設けられ、前壁部６、後壁部（図示せず）および側壁部７を有する引出し８内に取り付けられて使用される。なお、収納トレーを引出し内に「取り付ける」とは、収納トレーを引出し内に単に載置した状態も含む。          
【００２３】
収納トレー１は、樹脂材などで成形され、図１（ａ）〜（ｃ）、図２（ａ）に示すように、引出しに取り付けた状態で奥行きとなる方向に縦長であり、平面視で長方形に形成されている。そして、収納トレー１は、周壁部１１で囲まれた収納部本体１２と、収納部本体１２を複数の収納部に分割するための仕切り部１３とを有する。
【００２４】
周壁部１１は、引出しの側壁部７と略同じ高さを有するが、引出しの側壁部７よりも低い高さでもよい。周壁部１１の上端には水平なフランジ部１６が、周囲に張り出すように形成されている。
【００２５】
仕切り部１３は、図１（ａ）、図２（ａ）に示すように、収納部本体１２の奧行き方向（前後方向）を仕切るための第１仕切り壁１７と、収納部本体１２の間口方向（横幅方向）を仕切るための第２仕切り壁１８と、によりＴ字状に形成されている。
【００２６】
収納部本体１２は、第１仕切り壁１７によって、小さな横向き収納部２１と大きな縦向き収納部２２に仕切られている。第１仕切り壁１７は、図１（ｂ）、（ｃ）に示すように、周壁部１１および第２仕切り壁１８より低く形成されている。
【００２７】
また、第１仕切り壁１７の高さは、図１（ｂ）において、収納部本体１２の底１９の上面における奥行き方向の後端部近傍と、フランジ部１６の奥行き方向の前端部近傍とを結んだ仮想の直線（図１（ｂ）、（ｃ）の２点鎖線）よりも低いことが望ましい。
【００２８】
縦向き収納部２２は、図１（ａ）〜（ｃ）、図２（ａ）に示すように縦方向に延びる第２仕切り壁１８によって、第１の縦向き収納部２５と第２の縦向き収納部２６に仕切られている。                
【００２９】
第２仕切り壁１８の奥行き方向の一端（図１（ａ）、（ｂ）、図２（ａ）に示す右端）は、収納トレー１の周壁部１１の上端に連続し、フランジ部１６と同じ高さに形成されている。
【００３０】
第２仕切り壁１８は、上記一端から第１仕切り壁１７に向けて途中まで周壁部１１と同じ高さで延びる高い部分２９を有するとともに、この高い部分２９から、図１（ｂ）、（ｃ）、図２（ａ）に示すように、第１仕切り壁１７との交差部３０において、第１仕切り壁１７と高さが同じとなるように、下り勾配の傾斜壁部３１をさらに備えている。
【００３１】
なお、本実施例１では、第２仕切り壁１８は、下り勾配の傾斜壁部３１を介して第１仕切り壁１７との交差部３０に連続しているが、交差部３０において第１仕切り壁１７と高さが同じとなるような構成であれば、下り勾配の傾斜壁部３１に限らず、例えば、段部（図示せず）などを介して第１仕切り壁１７との交差部３０に連続する構成であってもよい。
【００３２】
引出しキャビネット３は、図３（ａ）に示すように、キッチン２において、シンク４およびコンロ５とともに設けられている。図３（ｂ）に示すキッチン２’は、図３（ａ）に示すキッチン２に対して、シンク４およびコンロ５が左右逆に設けられている。要するに、図３（ａ）、（ｂ）は、シンク４の左右の勝手が互いに逆仕様のキッチン２、２’を示している。                                          
【００３３】
（作用）
上記構成から成る収納トレー１および引出しキャビネット３の作用を、その使用などを通して、以下に説明する。収納トレー１は、図３（ａ）、（ｂ）に示すように、キッチン２、２’において引出しキャビネット３の引出し８内に取り付けて使用する。
【００３４】
横向き収納部２１には、小さなスプーンなどの小さな収納物を横方向に向けて収納することができる。フォーク、ナイフなどの比較的長細い収納物は、第１の縦向き収納部２５または第２の縦向き収納部２６に収納することができる。
【００３５】
そして、第１の縦向き収納部２５または第２の縦向き収納部２６には、フォーク、ナイフなどが収納されている状態において（収納されていない状態においてでもよい）、菜箸３４を、その一端を、図２（ｂ）に示すように、周壁部１１より低く形成された第１仕切り壁１７の上に載置し、第１の縦向き収納部２５または第２の縦向き収納部２６から横向き収納部２１にかけて収納できる。
【００３６】
従って、第１の縦向き収納部２５または第２の縦向き収納部２６は、収納のための無駄な空間が少なくなり、菜箸の一端が第１仕切り壁１７の上に載置されて浮くので、仮にフォーク、ナイフなどと混ざって収納されていても、それらと分離されるので、取り出し易くなる。
【００３７】
しかも、第１仕切り壁１７は、周壁部１１より低く形成されているので、菜箸３４は、何らかの外力で間口方向（横幅方向）に移動しても、収納トレー１から側方にはみ出して転げ落ちたりするようなことが防止される。
【００３８】
さらに、菜箸３４の浮いた一端は、高くならず上方にあまりはみ出したりしないので、引出しを開閉する際に、引出しキャビネット３における引出し用の開口の上縁と接触してつっかえたりするようなことはない。
【００３９】
即ち、第１仕切り壁１７の高さは、収納部本体１２の底１９の上面における奥行き方向の後端部近傍と、フランジ部１６の奥行き方向の前端部近傍とを結んだ仮想の直線（図１（ｂ）、（ｃ）の２点鎖線）よりも低い構成としたので、菜箸３４が収納トレー１から上方にはみ出さない。さらに好ましくは、菜箸３４の厚み分（１０ｍｍ程度）だけ仮想の直線よりも第１仕切り壁１７が低いことが好ましい。
【００４０】
上記のような構成の収納トレー１によれば、箸、菜箸３４、大小のスプーン、お玉、しゃもじなど、大きさにばらつきのある各種の収納物を、整理し、しかも上方にあまりはみ出ることなく、整然と収納することが可能となる。
【００４１】
図３（ａ）、（ｂ）に示すように、収納トレー１は、キッチン２、２’の引出しキャビネット３の引出し８に取り付けて使用するが、仮に、キッチンの仕様が、図３（ａ）に示すキッチン２ように、シンク４が右勝手（シンク４がコンロ５に対して右側に取り付けられている仕様）であっても、図３（ｂ）に示すキッチン２’ように、シンク４が左勝手であっても、引出し８内における収納トレー１の取付位置を左右逆にすれば、使用頻度が高い菜箸３４などを、常に、使用者の近くに収納することができるので、使い勝手がよい。
【００４２】
（実施例２）
本発明に係る収納トレーおよび該収納トレーが用いられている引出しキャビネットの実施例２を図４（ａ）、（ｂ）において説明する。この実施例２の収納トレー４１は、実施例１の収納トレー１と略同じであるが、その第１仕切り壁４２について、後記するとおりの構成において若干異なる。実施例２について、実施例１と同じ構成については、同じ符号を使用する。
【００４３】
図４（ａ）、（ｂ）に示すように、実施例２の収納トレー４１の第１仕切り壁４２は、第２仕切り壁１８との交差部３０を頂点として両外側（間口の両側方向）に向かって下り勾配の傾斜状に形成されている。
【００４４】
このように、第１仕切り壁４２は、第２仕切り壁１８との交差部３０を頂点として両外側に向かって下り勾配の傾斜状に形成されていると、例えば、菜箸３４を、第１の縦向き収納部２５または第２の縦向き収納部２６に収納し、その一端側を第１仕切り壁４２に載置した場合に、上記浮き上がることに加えて、菜箸３４が外側に向かって周壁部１１側に寄せられる。従って、菜箸３４は、それ以外の収納物品と混ぜて収納しても、よりスムーズに取り出すことができる。      
【００４５】
以上、本発明に係る収納トレーおよび該収納トレーが用いられている引出しキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
本発明に係る収納トレーおよび該収納トレーが用いられている引出しキャビネットは上記のような構成であるから、キッチンの引出しキャビネットの引出し、事務用キャビネットの引出しなど、各種の引出しに取り付けて、各種の物品を整理して収納するために使用することが可能である。例えば、仕切り部として、第１仕切り壁と第２仕切り壁の他に横向き収納部と縦向き収納部をさらに細分化するための、追加の仕切り壁を設けてもよい。
【符号の説明】
【００４７】
１  収納トレー                             
２、２’  キッチン                         
３  キャビネット                           
４  シンク                                 
５  コンロ                                 
６  引出しの前壁部                                 
７  引出しの側壁部                                 
８  引出し
１１  周壁部                               
１２  収納部本体                           
１３  仕切り部                             
１６  フランジ部                           
１７  第１仕切り壁                         
１８  第２仕切り壁
１９  収納部本体の底                         
２１  横向き収納部                           
２２  縦向き収納部                         
２５  第１の縦向き収納部                   
２６  第２の縦向き収納部                   
２９  第２仕切り壁の高い部分               
３０  交差部                               
３１  傾斜壁部                             
３４  菜箸                                 
４１  収納トレー                           
４２  第１仕切り壁                           
５１  収納トレー                           
５２  周壁部                               
５３  第１仕切り壁                         
５４  第２仕切り壁
５６  横収納部                             
５７  第１の縦収納部                       
５８  第２の縦収納部                       
６１  収納トレー                           
６２  第１仕切り壁                         
６３  第１の収納部                       
６４  別の収納部                         
６６  第２仕切り壁                         
６７  第２の収納部                       
６８  第３の収納部 
【図１】
0006561276.tif 000002
【図２】
0006561276.tif 000003
【図３】
0006561276.tif 000004
【図４】
0006561276.tif 000005
【図５】
0006561276.tif 000006
【図６】
0006561276.tif 000007